(57)【要約】【課題】  ユーザーが同時画面の補助画面を視聴している状態で主画面の同期信号が消えた場合にも補助画面が主画面に転換されてディスプレイされ、ユーザーは主画面に転換された補助画面を引続き視聴できる補助画面の主画面転換装置および方法を提供する。【解決手段】  （ａ）外部から入力される多様なビデオ信号のうち選択された所定の第１および第２ビデオ信号を主画面および補助画面で構成された同時画面にディスプレイされるようにスケーリングする段階、（ｂ）前記主画面として選択された第１ビデオ信号の同期信号有無を検出する段階、（ｃ）前記検出結果、前記第１ビデオ信号の同期信号が検出されていなければ、前記補助画面として選択された第２ビデオ信号を主画面に転換してスケーリングする段階を含む。【選択図】      図４
2005043896.tif 000002
【特許請求の範囲】
【請求項１】
ディスプレイ機器であって、
前記ディスプレイ機器の外部から入力される多様なビデオ信号のうち選択された所定の第１および第２ビデオ信号を受信するビデオインターフェース手段と、
同時画面にディスプレイされるように前記第１および第２ビデオ信号をスケーリングし、スケーリング制御信号によって補助画面を主画面にスケーリングしてディスプレイ信号に出力するスケーリング手段と、
主画面および補助画面選択信号によって前記第１または第２ビデオ信号のスケーリング動作を制御し、前記主画面として選択された第１ビデオ信号の同期信号が検出されていなければ、前記補助画面として選択された第２ビデオ信号を主画面にスケーリングするスケーリング制御信号を出力する制御手段とを含む転換装置。
【請求項２】
前記制御手段は、
前記主画面として設定された前記第１ビデオ信号の同期信号有無を検出する同期信号検出部をさらに含むことを特徴とする請求項１に記載の転換装置。
【請求項３】
前記制御手段は、
前記主画面として選択された第１ビデオ信号がＰＣ信号であり、前記補助画面として選択された第２ビデオ信号がディスプレイされず、前記第１ビデオ信号の同期が検出されていない場合、前記装置を節電モードに転換する節電モード転換部をさらに含むことを特徴とする請求項１に記載の転換装置。
【請求項４】
ディスプレイ機器であって、
前記ディスプレイ機器の外部から入力される多様なビデオ信号のうち選択された所定の第１および第２ビデオ信号を受信するビデオインターフェース手段と、
主画面および補助画面で構成された同時画面に前記第１および第２ビデオ信号がディスプレイされるようにスケーリングし、主画面として選択された第１ビデオ信号の同期信号が検出されていなければ、前記補助画面として選択された第２ビデオ信号を主画面にスケーリングしてディスプレイ信号として出力するスケーリング手段とを含む転換装置。
【請求項５】
前記スケーリング手段は、
前記第１または第２ビデオ信号を主画面および補助画面にディスプレイ可能にスケーリングするスケーラと、
前記主画面として設定された前記第１ビデオ信号の同期信号有無を検出する同期信号検出部と、
主画面として選択された第１ビデオ信号の同期信号が検出されていなければ、前記補助画面として選択された第２ビデオ信号を主画面にスケーリングするように前記スケーラを制御する制御部とを含むことを特徴とする転換装置。
【請求項６】
前記スケーリング手段は、
前記主画面として選択された第１ビデオ信号がＰＣ信号であり、前記補助画面として選択された第２ビデオ信号がディスプレイされず、前記第１ビデオ信号の同期が検出されていない場合、前記装置を節電モードに転換する節電モード転換部をさらに含むことを特徴とする請求項５に記載の転換装置。
【請求項７】
ディスプレイ手段にディスプレイされる画面を転換する装置であって、
第１ビデオ信号を検出する信号検出部と、
前記信号検出部が前記第１ビデオ信号を検出できなければ、第１解像度にスケーリングされた第２ビデオ信号を制御するスケーリング制御信号を出力し、前記第２ビデオ信号を主画面に出力する制御手段とを含む転換装置。
【請求項８】
前記第１ビデオ信号は主画面の大きさである第１解像度にスケーリングされ、前記第２ビデオ信号は画面内の画面大きさである第２解像度にスケーリングされることを特徴とする請求項７に記載の転換装置。
【請求項９】
前記第１ビデオ信号がＰＣ信号であり、第２ビデオ信号が出力されず、前記第１ビデオ信号が検出されていなければ、節電モードに前記装置をスイッチする信号検出器に連結された節電モード転換部をさらに含むことを特徴とする請求項７に記載の転換装置。
【請求項１０】
ディスプレイ手段にディスプレイされる画面を転換する装置であって、
第１解像度にスケーリングされる第１ビデオ信号および第２解像度にスケーリングされる第２ビデオ信号を持って結合されたビデオ信号を出力するスケーリング手段と、
前記第１ビデオ信号が検出されていない時、前記第１解像度にスケーリングされた第２ビデオ信号を出力する前記スケーリング手段を制御する制御手段とを含む転換装置。
【請求項１１】
前記第１解像度は主画面の大きさであり、前記第２解像度は画面内の画面大きさであることを特徴とする請求項１０に記載の転換装置。
【請求項１２】
前記第１ビデオ信号がＰＣ信号であり、第２ビデオ信号が出力されず、前記第１ビデオ信号の同期信号が検出されていなければ、節電モードに前記装置をスイッチする信号検出器に連結された節電モード転換部をさらに含むことを特徴とする請求項１０に記載の転換装置。
【請求項１３】
ディスプレイ機器動作方法であって、
外部から入力される多様なビデオ信号のうち選択された所定の第１および第２ビデオ信号を主画面および補助画面で構成された同時画面にディスプレイ可能にスケーリングする段階と、
前記主画面として選択された第１ビデオ信号の同期信号有無を検出する段階と、
前記検出結果前記第１ビデオ信号の同期信号が検出されていなければ、前記補助画面として選択された第２ビデオ信号を主画面に転換してスケーリングする段階とを含む転換方法。
【請求項１４】
前記第１ビデオ信号がＰＣ信号であり、前記第２ビデオ信号が出力されず、前記第１ビデオ信号の同期信号が検出されていない場合、前記ディスプレイ機器を節電モードに転換することを特徴とする請求項１３に記載の転換方法。
【請求項１５】
ディスプレイ装置にディスプレイされる画面を転換する方法であって、
第１ビデオ信号の有無を検出する段階と、
前記第１ビデオ信号が検出されていなければスケーリング制御信号を出力する段階と、
前記スケーリング制御信号が出力されれば、第１解像度に第２ビデオ信号をスケーリングして主画面に出力する段階とを含む転換方法。
【請求項１６】
前記第１ビデオ信号は主画面の大きさである第１解像度にスケーリングされ、前記第２ビデオ信号は画面内の画面大きさである第２解像度にスケーリングされることを特徴とする請求項１５に記載の転換方法。
【請求項１７】
前記第１ビデオ信号がＰＣ信号であり、前記第２ビデオ信号が出力されず、前記第１ビデオ信号の同期信号が検出されていない場合、前記ディスプレイ機器を節電モードに転換することを特徴とする請求項１５に記載の転換方法。
【請求項１８】
ディスプレイ装置にディスプレイされる画面を転換する方法であって、
第１解像度にスケーリングされる第１ビデオ信号および第２解像度にスケーリングされる第２ビデオ信号を持って結合されたビデオ信号を出力する段階と、
前記第１ビデオ信号の有無を検出する段階と、
前記第１ビデオ信号の同期信号が検出されていなければ、前記第２ビデオ信号を前記第１解像度にスイッチする段階とを含む転換方法。
【請求項１９】
前記第１解像度は主画面の大きさであり、前記第２解像度は画面内の画面大きさであることを特徴とする請求項１８に記載の転換方法。
【請求項２０】
前記第１ビデオ信号がＰＣ信号であり、前記第２ビデオ信号が出力されず、前記第１ビデオ信号の同期信号が検出されていない場合、前記ディスプレイ機器を節電モードに転換することを特徴とする請求項１８に記載の転換方法。
【発明の詳細な説明】
【技術分野】
【０００１】
本発明はディスプレイ装置および方法に係り、より詳細には同時画面ディスプレイ中に主画面の同期信号が消えれば補助画面を主画面に転換する補助画面の主画面転換装置および方法に関する。
【背景技術】
【０００２】
現在家庭用テレビは単純に映像情報をユーザーに提供する水準を超えてユーザーが映像の視聴感を満喫でき、さらに通信網に接続されて情報を検索できる状態まで発展しつつある。
【０００３】
現在大部分のテレビは多様なビデオ信号入力を連結できるビデオインターフェースを具備している。現在ビデオインターフェースを通じて入力されているビデオ信号以外に他のビデオインターフェースを通じて入力されるビデオ信号を見ようとする時、ユーザーは他のビデオインターフェースを連結し、テレビのキーボードやリモコン等でＯＳＤ（オンスクリーンディスプレイ）を操作してビデオ信号の入出力パスを変換する。
【０００４】
現在テレビ内で二つの画面を同時にディスプレイする方法には、ＰＩＰ（ピクチャインピクチャ）またはＰＢＰ（ピクチャバイピクチャ）がある。
【０００５】
図１ＡはＰＩＰを具現した画面を示している。図１Ａで、ＰＩＰは主画面と、全体画面中に小さくディスプレイされる補助画面とで構成される。同時画面ディスプレイ方法がＰＩＰと設定されている場合、主画面として設定されたビデオ信号を全体画面にディスプレイし、補助画面として設定されたビデオ信号を全体画面の一部分に小さな画面でディスプレイする。
【０００６】
図１ＢはＰＢＰを具現した画面を示す。図１ＢでＰＢＰは全体画面を二等分してそれぞれをディスプレイし、補助画面１と補助画面２とで構成される。同時画面ディスプレイ方法がＰＢＰと設定された場合、全体画面を二等分して画面比率に合せてそれぞれのビデオ信号をディスプレイする。
【０００７】
このような同時画面ディスプレイの説明が特許文献１に記載されている。
【０００８】
例えば、図１ＡのようなＰＩＰディスプレイ方法で、ＰＣ（パーソナルコンピュータ）信号が主画面に、ＴＶ信号が補助画面にそれぞれディスプレイされると仮定する。同時画面ディスプレイ中にＰＣが節電モードに動作して主画面上にＰＣの同期信号が消えれば、装置内部では装置を節電モードに転換して補助画面ディスプレイに関係なく主画面および補助画面がディスプレイされなくなる。
【０００９】
このように、従来のディスプレイ装置で同時画面ディスプレイは主画面中心にディスプレイされるために、同時画面ディスプレイ中に主画面の同期信号が消えれば、補助画面ディスプレイに関係なく画面自体が消えるようになって、補助画面もディスプレイされない問題点が発生する。
【特許文献１】米国特許第６，５１５，６４３号公報
【特許文献２】特開昭６１−１９４９８３号公報
【特許文献３】特開昭６１−１９４９８４号公報
【特許文献４】特開昭６３−２８３２８１号公報
【特許文献５】大韓民国特許公開１９９７−０１９４８９号
【特許文献６】大韓民国特許公開１９９７−０５７３１２号
【特許文献７】大韓民国特許公開１９９９−００５２００号
【発明の開示】
【発明が解決しようとする課題】
【００１０】
本発明が解決しようとする技術的な課題は、同時画面ディスプレイ中に主画面の同期信号が消えれば補助画面を主画面に転換する補助画面の主画面転換装置を提供するところにある。
【００１１】
本発明が解決しようとする他の技術的な課題は、同時画面ディスプレイ中に主画面の同期信号が消えれば補助画面を主画面に転換する補助画面の主画面転換方法を提供するところにある。
【課題を解決するための手段】
【００１２】
本発明が解決しようとする前記技術的な課題を解決するための第１実施例による補助画面の主画面転換装置は、ディスプレイ機器であって、前記ディスプレイ機器の外部から入力される多様なビデオ信号のうち選択された所定の第１および第２ビデオ信号を受信するビデオインターフェース手段と、同時画面にディスプレイされるように前記第１および第２ビデオ信号をスケーリングし、スケーリング制御信号によって補助画面を主画面にスケーリングしてディスプレイ信号に出力するスケーリング手段と、主画面および補助画面選択信号によって前記第１または第２ビデオ信号のスケーリング動作を制御し、前記主画面として選択された第１ビデオ信号の同期信号が検出されていなければ、前記補助画面として選択された第２ビデオ信号を主画面にスケーリングするスケーリング制御信号を出力する制御手段とを含むことが望ましい。
【００１３】
本発明において、前記制御手段は、前記主画面として設定された前記第１ビデオ信号の同期信号有無を検出する同期信号検出部をさらに含むことを特徴とする。
【００１４】
本発明において、前記制御手段は、前記主画面として選択された第１ビデオ信号がＰＣ信号であり、前記補助画面として選択された第２ビデオ信号がディスプレイされず、前記第１ビデオ信号の同期が検出されていない場合、前記装置を節電モードに転換する節電モード転換部をさらに含むことを特徴とする。
【００１５】
本発明が解決しようとする前記技術的な課題を解決するための第２実施例による補助画面の主画面転換装置は、ディスプレイ機器であって、前記ディスプレイ機器の外部から入力される多様なビデオ信号のうち選択された所定の第１および第２ビデオ信号を受信するビデオインターフェース手段と、主画面および補助画面で構成された同時画面に前記第１および第２ビデオ信号がディスプレイされるようにスケーリングし、主画面として選択された第１ビデオ信号の同期信号が検出されていなければ、前記補助画面として選択された第２ビデオ信号を主画面にスケーリングしてディスプレイ信号として出力するスケーリング手段とを含むことが望ましい。
【００１６】
本発明において、前記スケーリング手段は、前記第１または第２ビデオ信号を主画面および補助画面にディスプレイ可能にスケーリングするスケーラと、前記主画面として設定された前記第１ビデオ信号の同期信号有無を検出する同期信号検出部と、主画面として選択された第１ビデオ信号の同期信号が検出されていなければ、前記補助画面として選択された第２ビデオ信号を主画面にスケーリングするように前記スケーラを制御する制御部とを含むことを特徴とする。
【００１７】
本発明において、前記スケーリング手段は、前記主画面として選択された第１ビデオ信号がＰＣ信号であって、前記補助画面として選択された第２ビデオ信号がディスプレイされず、前記第１ビデオ信号の同期が検出されていない場合、前記装置を節電モードに転換する節電モード転換部をさらに含むことを特徴とする。
【００１８】
本発明が解決しようとする前記技術的な課題を解決するための第３実施例による補助画面の主画面転換装置は、ディスプレイ手段にディスプレイされる画面を転換する装置であって、第１ビデオ信号を検出する信号検出部と、前記信号検出部が前記第１ビデオ信号を検出できなければ、第１解像度にスケーリングされた第２ビデオ信号を制御するスケーリング制御信号を出力し、前記第２ビデオ信号を主画面に出力する制御手段とを含むことが望ましい。
【００１９】
本発明において、前記第１ビデオ信号は主画面の大きさである第１解像度にスケーリングされ、前記第２ビデオ信号は画面内の画面大きさである第２解像度にスケーリングされることを特徴とする。
【００２０】
本発明において、前記第１ビデオ信号がＰＣ信号であり、第２ビデオ信号が出力されず、前記第１ビデオ信号が検出されていなければ、節電モードに前記装置をスイッチする信号検出器に連結された節電モード転換部をさらに含むことを特徴とする。
【００２１】
本発明が解決しようとする前記技術的な課題を解決するための第４実施例による補助画面の主画面転換装置は、ディスプレイ手段にディスプレイされる画面を転換する装置であって、第１解像度にスケーリングされる第１ビデオ信号および第２解像度にスケーリングされる第２ビデオ信号を持って結合されたビデオ信号を出力するスケーリング手段と、前記第１ビデオ信号が検出されていない時、前記第１解像度にスケーリングされた第２ビデオ信号を出力する前記スケーリング手段を制御する制御手段とを含むことが望ましい。
【００２２】
本発明において、前記第１解像度は主画面の大きさであり、前記第２解像度は画面内の画面大きさであることを特徴とする。
【００２３】
本発明において、前記第１ビデオ信号がＰＣ信号であり、第２ビデオ信号が出力されず、前記第１ビデオ信号の同期信号が検出されていなければ、節電モードに前記装置をスイッチする信号検出器に連結された節電モード転換部をさらに含むことを特徴とする。
【００２４】
本発明が解決しようとする前記他の技術的な課題を解決するための第１実施例による補助画面の主画面転換方法は、ディスプレイ機器動作方法であって、外部から入力される多様なビデオ信号のうち選択された所定の第１および第２ビデオ信号を主画面および補助画面で構成された同時画面にディスプレイ可能にスケーリングする段階と、前記主画面として選択された第１ビデオ信号の同期信号有無を検出する段階と、前記検出結果前記第１ビデオ信号の同期信号が検出されていなければ、前記補助画面として選択された第２ビデオ信号を主画面に転換してスケーリングする段階とを含むことが望ましい。
【００２５】
本発明において、前記第１ビデオ信号がＰＣ信号であり、前記第２ビデオ信号が出力されず、前記第１ビデオ信号の同期信号が検出されていない場合、前記ディスプレイ機器を節電モードに転換することを特徴とする。
【００２６】
本発明が解決しようとする前記他の技術的な課題を解決するための第２実施例による補助画面の主画面転換方法は、ディスプレイ装置にディスプレイされる画面を転換する方法であって、第１ビデオ信号の有無を検出する段階と、前記第１ビデオ信号が検出されていなければスケーリング制御信号を出力する段階と、前記スケーリング制御信号が出力されれば、第１解像度に第２ビデオ信号をスケーリングして主画面に出力する段階とを含むことが望ましい。
【００２７】
本発明において、前記第１ビデオ信号は主画面の大きさである第１解像度にスケーリングされ、前記第２ビデオ信号は画面内の画面大きさである第２解像度にスケーリングされることを特徴とする。
【００２８】
本発明において、前記第１ビデオ信号がＰＣ信号であり、前記第２ビデオ信号が出力されず、前記第１ビデオ信号の同期信号が検出されていない場合、前記ディスプレイ機器を節電モードに転換することを特徴とする。
【００２９】
本発明が解決しようとする前記他の技術的な課題を解決するための第３実施例による補助画面の主画面転換方法は、ディスプレイ装置にディスプレイされる画面を転換する方法であって、第１解像度にスケーリングされる第１ビデオ信号および第２解像度にスケーリングされる第２ビデオ信号を持って結合されたビデオ信号を出力する段階と、前記第１ビデオ信号の有無を検出する段階と、前記第１ビデオ信号の同期信号が検出されていなければ、前記第２ビデオ信号を前記第１解像度にスイッチする段階とを含むことが望ましい。
【００３０】
本発明において、前記第１解像度は主画面の大きさであり、前記第２解像度は画面内の画面大きさであることを特徴とする。
【００３１】
本発明において、前記第１ビデオ信号がＰＣ信号であり、前記第２ビデオ信号が出力されず、前記第１ビデオ信号の同期信号が検出されていない場合、前記ディスプレイ機器を節電モードに転換することを特徴とする。
【発明の効果】
【００３２】
本発明によれば、ユーザーが同時画面の補助画面を視聴している状態で主画面の同期信号が消えた場合でも補助画面が主画面に転換されてディスプレイされるために、ユーザーは主画面に転換された補助画面を引続き視聴できる。
【発明を実施するための最良の形態】
【００３３】
以下、添付された図面を参照して本発明を詳細に説明する。
【００３４】
図２は、本発明の第１実施例による補助画面の主画面転換装置の構成を示すブロック図であり、ビデオインターフェース手段２００、ビデオデコード手段２０１、デインターレース手段２０２、スケーリング手段２０３、ディスプレイ手段２０４および制御手段２０５で構成される。本発明でビデオインターフェース手段２００はＤ−ＳＵＢ端子２００−１、ＤＶＩ（デジタルビデオインタラクティブ）端子２００−２、Ｓ（セパレート）−ビデオ端子２００−３、ＴＶチューナー端子２００−４、コンポジット端子２００−５で構成される。本発明において、制御手段２０５は同期信号検出部２０５−１、節電モード転換部２０５−２、制御部２０５−３で構成される。
【００３５】
次いで、図２を参照して本発明の第１実施例による補助画面の主画面転換装置を詳細に説明する。
【００３６】
ビデオインターフェース手段２００は外部から入力される多種のビデオ信号を受信する。本発明において、ビデオインターフェース手段２００は３個の外部機器（ＰＣ、ゲーム機およびテレビ）から伝送されたビデオ信号を受信するが、外部機器は３個に制限されない。
【００３７】
ビデオインターフェース手段２００はＰＣ（図示せず）からＤ−ＳＵＢ端子２００−１およびＤＶＩ端子２００−２を通じて伝送されたビデオ信号を受信する。
【００３８】
ビデオインターフェース手段２００はゲーム機（図示せず）からＳ−ビデオ端子２００−３を通じて伝送されたビデオ信号を受信する。ここで、Ｓ−ビデオ信号は輝度（Ｙ）と色度（Ｃ）２個の信号で構成されたビデオ伝送方式であって、色度信号はコンポーネント信号の色差信号２個を位相変調という方式で作る。コンポジット信号から輝度と色度信号とを分離したという意味で‘Ｓ−ビデオ’という名称を得た。Ｓ−ＶＨＳなど高画質ビデオ装置が開発されつつ使われ始め、コンポジット連結よりは良い画質を簡単に作れる長所がある。通常４個のピンで構成された端子を専用線で連結する。
【００３９】
また、ビデオインターフェース手段２００は、ＴＶ（図示せず）からＴＶチューナー端子２００−４およびコンポジット端子２００−５を通じて伝送されたビデオ信号を受信する。
【００４０】
同時画面をディスプレイする場合、ビデオインターフェース手段２００は制御手段２０５の制御下で第１ビデオ信号および第２ビデオ信号を出力する。ここで、第１および第２ビデオ信号はＤ−ＳＵＢ端子２００−１、ＤＶＩ端子２００−２、Ｓ−ビデオ端子２００−３、ＴＶチューナー端子２００−４およびコンポジット端子２００−５から出力されるビデオ信号のうちいずれか２つの信号である。
【００４１】
ビデオインターフェース手段２００に入力されるビデオ信号のうちＰＣからＤ−ＳＵＢ端子２００−１またはＤＶＩ端子２００−２を通じて伝送されたビデオ信号は直ちにスケーリング手段２０３に出力される。
【００４２】
しかし、ビデオインターフェース手段２００に入力されるビデオ信号のうちゲーム機からＳ−ビデオ端子２００−３を通じて伝送されたビデオ信号、またはビデオインターフェース手段２００に入力される信号のうちＴＶからＴＶチューナー端子２００−４またはコンポジット端子２００−５を通じて伝送されたビデオ信号はビデオデコード手段２０１に出力される。
【００４３】
ビデオデコード手段２０１はビデオインターフェース手段２００から出力されるＳ−ビデオ端子２００−３、ＴＶチューナー端子２００−４またはコンポジット端子２００−５から出力されるビデオ信号をデコードしてデインターレース手段２０２に出力する。
【００４４】
デインターレース手段２０２はデコードされたビデオ信号をデインターレースしてスケーリング手段２０３に出力する。
【００４５】
スケーリング手段２０３は入力されるビデオ信号をディスプレイ手段２０４の仕様に適した解像度に変換し、解像度以外の多くの映像決定要素の微細な調整機能を調整してディスプレイ手段２０４に出力する。ユーザーが同時画面をディスプレイするための信号を選択すれば、制御手段２０５の制御下でスケーリング手段２０３は同時画面ディスプレイのためのスケーリング動作を行う。また、スケーリング手段２０３は、補助画面を主画面に転換せよという制御手段２０５の命令によって補助画面を主画面にスケーリングする。
【００４６】
制御手段２０５は、ユーザーにより入力された主画面および補助画面選択信号によって第１または第２ビデオ信号のスケーリング動作を制御し、主画面として選択された第１ビデオ信号の同期信号が検出されていなければ、補助画面として選択された第２ビデオ信号を主画面にスケーリングするスケーリング制御信号をスケーリング手段２０３に出力する。このような動作制御のための制御手段２０５は、同期信号検出部２０５−１、節電モード転換部２０５−２および制御部２０５−３で構成される。
【００４７】
制御部２０５−３はキーパッド（図示せず）またはリモコン（図示せず）によりユーザーから入力された同時画面ディスプレイ信号を受信する。同時画面ディスプレイ信号を受信した制御部２０５−３はディスプレイ手段２０４にＯＳＤメニューを出力する。ここで、ＯＳＤメニューは同時画面ディスプレイのためにユーザーにより選択されるＰＩＰ、ＰＢＰである。また、制御部２０５−３は主画面である第１ビデオ選択信号および補助画面である第２ビデオ選択信号を受信する。
【００４８】
主画面である第１ビデオ信号は、ビデオインターフェース手段２００から出力されるＤ−ＳＵＢ端子２００−１またはＤＶＩ端子２００−２から出力されるいずれか一つのビデオ信号であるか、ビデオインターフェース手段２００から出力されるＳ−ビデオ端子２００−３、ＴＶチューナー端子２００−４またはコンポジット端子２００−５から出力されるいずれか一つのビデオ信号である。同様に、補助画面である第２ビデオ信号は、ビデオインターフェース手段２００から出力されるＤ−ＳＵＢ端子２００−１またはＤＶＩ端子２００−２から出力されるいずれか一つのビデオ信号であるか、ビデオインターフェース手段２００から出力されるＳ−ビデオ端子２００−３、ＴＶチューナー端子２００−４またはコンポジット端子２００−５から出力されるいずれか一つのビデオ信号である。
【００４９】
制御部２０５−３が出力したＯＳＤメニューを選択して同時画面ディスプレイが選択されれば、主画面と補助画面とがディスプレイ手段２０４に同時にディスプレイされる。同時画面ディスプレイ中に同期信号検出部２０５−１は主画面である第１ビデオ信号の同期信号有無を検出する。
【００５０】
主画面である第１ビデオ信号の同期信号が同期信号検出部２０５−１から検出されれば、制御部２０５−３は現状態の同時画面状態を維持し続ける。しかし、主画面である第１ビデオ信号の同期が同期信号検出部２０５−１から検出されていなければ、制御部２０５−３は補助画面である第２ビデオ信号を主画面に転換し、第２ビデオ信号を主画面にスケーリングするスケーリング制御信号をスケーリング手段２０３に出力する。
【００５１】
主画面として選択された第１ビデオ信号がＰＣ信号であり、補助画面として選択された第２ビデオ信号がディスプレイされず、第１ビデオ信号の同期信号が同期信号検出部２０５−１から検出されていない場合、節電モード転換部２０５−２はディスプレイ機器を節電モードに転換する。節電モードになれば、制御部２０５−３にのみ動作電源が印加され、他のブロックには動作電源が印加されない。
【００５２】
図３は、本発明の第２実施例による補助画面の主画面転換装置の構成を示すブロック図であり、ビデオインターフェース手段２００、ビデオデコード手段２０１、デインターレース手段２０２、スケーリング手段３０３およびディスプレイ手段２０４で構成される。本発明で、ビデオインターフェース手段２００はＤ−ＳＵＢ端子２００−１、ＤＶＩ端子２００−２、Ｓ−ビデオ端子２００−３、ＴＶチューナー端子２００−４、コンポジット端子２００−５で構成される。本発明において、スケーリング手段３０３はスケーラ３０３−１、同期信号検出部３０３−２、節電モード転換部３０３−３、制御部３０３−４で構成される。
【００５３】
次いで、図３を参照して本発明の第２実施例による補助画面の主画面転換装置を詳細に説明する。
【００５４】
図３に示された第２実施例と図２に示された第１実施例とを比較すれば、第２実施例では制御機能がスケーリング手段３０３に含まれる。以下、ビデオインターフェース手段２００、ビデオデコード手段２０１、デインターレース手段２０２およびディスプレイ手段３０４は第１実施例と同一であるのでその詳細な説明を省略する。
【００５５】
ビデオインターフェース手段２００は、ＰＣ（図示せず）からＤ−ＳＵＢ端子２００−１およびＤＶＩ端子２００−２を通じて伝送されたビデオ信号、ゲーム機（図示せず）からＳ−ビデオ端子２００−３を通じて伝送されたビデオ信号およびＴＶ（図示せず）からＴＶチューナー端子２００−４およびコンポジット端子２００−５を通じて伝送されたビデオ信号を受信する。同時画面をディスプレイする場合、ビデオインターフェース手段２００は制御部２０３−４の制御下で第１ビデオ信号および第２ビデオ信号を出力する。
【００５６】
ビデオデコード手段２０１は、ビデオインターフェース手段２００から出力されるＳ−ビデオ端子２００−３、ＴＶチューナー端子２００−４またはコンポジット端子２００−５から出力されるビデオ信号をデコードしてデインターレース手段２０２に出力する。
【００５７】
デインターレース手段２０２は、デコードされたビデオ信号をデインターレースしてスケーリング手段３０３に出力する。
【００５８】
スケーリング手段３０３は、主画面および補助画面で構成された同時画面に第１および第２ビデオ信号がディスプレイされるようにスケーリングし、主画面として選択された第１ビデオ信号の同期信号が検出されていなければ、前記補助画面として選択された第２ビデオ信号を主画面にスケーリングしてディスプレイ手段２０４に出力する。このためにスケーリング手段３０３はスケーラ３０３−１、同期信号検出部３０３−２、節電モード転換部３０３−３および制御部３０３−４で構成される。
【００５９】
スケーラ３０３−１は、入力されるビデオ信号をディスプレイ手段２０４の仕様に適した解像度に変換し、解像度以外の多くの映像決定要素達の微細な調整機能を調整してディスプレイ手段２０４に出力する。ユーザーが同時画面をディスプレイするための信号を選択すれば、制御部２０３−４の制御下でスケーラ３０３−１は同時画面ディスプレイのためのスケーリング動作を行う。また、スケーラ３０３−１は補助画面を主画面に転換せよという制御部２０３−４の命令に応じて補助画面を主画面にスケーリングする。
【００６０】
制御部３０３−４は、ユーザーにより入力された主画面および補助画面選択信号によって第１または第２ビデオ信号のスケーリング動作を制御し、主画面として選択された第１ビデオ信号の同期信号が検出されていなければ、補助画面として選択された第２ビデオ信号を主画面にスケーリングするスケーリング制御信号をスケーラ３０３−１に出力する。
【００６１】
制御部３０３−４は、キーパッド（図示せず）またはリモコン（図示せず）によりユーザーから入力された同時画面ディスプレイ信号を受信する。同時画面ディスプレイ信号を受信した制御部３０３−４はディスプレイ手段２０４にＯＳＤメニューを出力する。ここでＯＳＤメニューは同時画面ディスプレイのためにユーザーにより選択されるＰＩＰ、ＰＢＰである。また、制御部３０３−４は主画面である第１ビデオ選択信号および補助画面である第２ビデオ選択信号を受信する。
【００６２】
主画面である第１ビデオ信号は、ビデオインターフェース手段２００から出力されるＤ−ＳＵＢ端子２００−１またはＤＶＩ端子２００−２から出力されるいずれか一つのビデオ信号であるか、ビデオインターフェース手段２００から出力されるＳ−ビデオ端子２００−３、ＴＶチューナー端子２００−４またはコンポジット端子２００−５から出力されるいずれか一つのビデオ信号である。同様に、補助画面である第２ビデオ信号は、ビデオインターフェース手段２００から出力されるＤ−ＳＵＢ端子２００−１またはＤＶＩ端子２００−２から出力されるいずれか一つのビデオ信号であるか、ビデオインターフェース手段２００から出力されるＳ−ビデオ端子２００−３、ＴＶチューナー端子２００−４またはコンポジット端子２００−５から出力されるいずれか一つのビデオ信号である。
【００６３】
制御部３０３−４が出力したＯＳＤメニューを選択して同時画面ディスプレイが選択されれば、主画面と補助画面とがディスプレイ手段２０４に同時にディスプレイされる。同時画面ディスプレイ中に同期信号検出部３０３−２は主画面である第１ビデオ信号の同期信号有無を検出する。
【００６４】
主画面である第１ビデオ信号の同期信号が同期信号検出部３０３−２から検出されれば、制御部３０３−４は現状態の同時画面状態を維持し続ける。しかし、主画面である第１ビデオ信号の同期が同期信号検出部３０３−２から検出されていなければ、制御部３０３−４は補助画面である第２ビデオ信号を主画面に転換し、第２ビデオ信号を主画面にスケーリングするスケーリング制御信号をスケーラ３０３−１に出力する。
【００６５】
主画面として選択された第１ビデオ信号がＰＣ信号であり、補助画面として選択された第２ビデオ信号がディスプレイされず、第１ビデオ信号の同期信号が同期信号検出部３０３−２から検出されていない場合、節電モード転換部３０３−３はディスプレイ機器を節電モードに転換する。節電モードになれば、制御部３０３−４にのみ動作電源が印加され、他のブロックには動作電源が印加されない。
【００６６】
図４は、本発明による補助画面の主画面転換方法の動作を示すフローチャートであって、同時画面を動作させるかどうかを判断する段階（４００）、同時画面ディスプレイのための主画面および補助画面の入力信号を選択およびディスプレイする段階（４０１）、主画面の同期信号有無を判断する段階（４０２）、主画面から同期信号が検出されたかどうかを判断する段階（４０３）、補助画面がディスプレイされていているかどうかを判断する段階（４０４）、補助画面を主画面に転換する段階（４０５）で構成される。
【００６７】
次いで、図４を参照して本発明による補助画面の主画面転換方法を詳細に説明する。説明の便宜上図４は図２を適用して説明する。
【００６８】
制御部２０５−３はユーザー入力信号によって同時画面動作如何を判断する（４００段階）。
【００６９】
ユーザーにより同時画面選択信号を受信した制御部２０５−３は、同時画面ディスプレイのための主画面および補助画面の入力信号を選択してディスプレイのための信号処理を行う（４０１段階）。ビデオインターフェース手段２００は、ＰＣ（図示せず）からＤ−ＳＵＢ端子２００−１およびＤＶＩ端子２００−２を通じて伝送されたビデオ信号、ゲーム機（図示せず）からＳ−ビデオ端子２００−３を通じて伝送されたビデオ信号およびＴＶ（図示せず）からＴＶチューナー端子２００−４およびコンポジット端子２００−５を通じて伝送されたビデオ信号を受信する。同時画面をディスプレイする場合、ビデオインターフェース手段２００は制御部２０５−３の制御下で第１ビデオ信号および第２ビデオ信号を出力する。ビデオデコード手段２０１は、ビデオインターフェース手段２００から出力されるＳ−ビデオ端子２００−３、ＴＶチューナー端子２００−４またはコンポジット端子２００−５から出力されるビデオ信号をデコードしてデインターレース手段２０２に出力する。デインターレース手段２０２はデコードされたビデオ信号をデインターレースしてスケーリング手段２０３に出力する。スケーリング手段２０３は入力されるビデオ信号をディスプレイ手段２０４の仕様に適した解像度に変換し、解像度以外の多くの映像決定要素達の微細な調整機能を調整してディスプレイ手段２０４に出力する。ユーザーが同時画面をディスプレイするための信号を選択すれば、制御部２０５−３の制御下でスケーリング手段２０３は同時画面ディスプレイのためのスケーリング動作を行う。また、スケーリング手段２０３は補助画面を主画面に転換せよという制御部２０５−３の命令に応じて補助画面を主画面にスケーリングする。
【００７０】
主画面および補助画面で構成された同時画面のディスプレイ状態で、同期信号検出部２０５−１は主画面である第１ビデオ信号から同期信号有無を判断する（４０２段階）。
【００７１】
同期信号検出部２０５−１の判断結果、主画面である第１ビデオ信号から同期信号が検出されていない場合（４０３段階）、制御部２０５−３は現在補助画面である第２ビデオ信号がディスプレイされているかを判断する（４０４段階）。主画面である第１ビデオ信号の同期信号が同期信号検出部２０５−１から検出されれば（４０３段階）、制御部２０５−３は現状態の同時画面状態を維持し続ける。
【００７２】
しかし、制御部２０５−３の判断結果、補助画面である第２ビデオ信号がディスプレイされている場合、制御部２０５−３は補助画面である第２ビデオ信号を主画面に転換し（４０５段階）、第２ビデオ信号を主画面にスケーリングするスケーリング制御信号をスケーリング手段２０３に出力する。スケーリング手段２０３は制御部２０５−３の制御下で補助画面である第２ビデオ信号を主画面にスケーリングする。
【００７３】
主画面として選択された第１ビデオ信号がＰＣ信号であり、補助画面として選択された第２ビデオ信号がディスプレイされず、第１ビデオ信号の同期信号が同期信号検出部２０５−１から検出されていない場合、節電モード転換部２０５−２はディスプレイ機器を節電モードに転換する。節電モードになれば、制御部２０５−３にのみ動作電源が印加され、他のブロックには動作電源が印加されない。
【００７４】
これまで本発明についてその望ましい実施例を中心に説明した。本発明が属する技術分野で当業者は本発明が本発明の本質的な特性から離脱しない範囲で変形された形態に具現されうることを理解できる。したがって、開示された実施例は限定的な観点ではなく説明的な観点で考慮されねばならない。本発明の範囲は前述した説明ではなく特許請求の範囲に現れており、それと同等な範囲内にあるあらゆる差異点は本発明に含まれていると解釈されねばならない。
【産業上の利用可能性】
【００７５】
本発明はテレビやＰＣなどのディスプレイ装置に適用できる。
【図面の簡単な説明】
【００７６】
【図１Ａ】従来の同時画面ディスプレイを説明するための図である。
【図１Ｂ】従来の同時画面ディスプレイを説明するための図である。
【図２】本発明の第１実施例による補助画面の主画面転換装置の構成を示すブロック図である。
【図３】本発明の第２実施例による補助画面の主画面転換装置の構成を示すブロック図である。
【図４】本発明による補助画面の主画面転換方法の動作を示すフローチャートである。
【符号の説明】
【００７７】
２００  ビデオインターフェース手段
２００−１  Ｄ−ＳＵＢ端子
２００−２  ＤＶＩ端子
２００−３  Ｓ−ビデオ端子
２００−４  ＴＶチューナー端子
２００−５  コンポジット端子
２０１  ビデオデコード手段
２０２  デインターレース手段
２０３  スケーリング手段
２０４  ディスプレイ手段
２０５  制御手段
２０５−１、３０３−２  同期信号検出部
２０５−２、３０３−３  節電モード転換部
２０５−３、３０３−４  制御部
３０３−１  スケーラ
【図１Ａ】
2005043896.tif 000003
【図１Ｂ】
2005043896.tif 000004
【図２】
2005043896.tif 000005
【図３】
2005043896.tif 000006
【図４】
2005043896.tif 000007